(57)【要約】【課題】本発明は、映像信号ケーブルがコネクタから切り離されると、無線通信手段からの映像信号に自動的に切り換えるディスプレイ装置を提供する。【解決手段】ディスプレイ装置Ｄ１には、パソコンＰＣ１で生成された映像信号が伝送され、該映像がディスプレイ処理部１に表示される。映像信号の伝送は、装置Ｄ１のコネクタＣ１に接続されるケーブル６、又は無線ＬＡＮによる。ケーブル６がコネクタＣ１に接続された場合、検出回路３がスイッチＳ１の動作によってケーブル接続を検出したとき、切換回路２がケーブル側に切り換えられ、ケーブル伝送された映像信号が表示部に供給される。検出回路がスイッチの動作に応じてケーブルの引抜きを検出したとき、切換回路がＣＰＵ５側に切り換えられ、無線ＬＡＮで伝送された映像信号がディスプレイ処理部に供給される。【選択図】　　　図１
2004029232.tif 000002
【特許請求の範囲】
【請求項１】
伝送された映像信号を表示するディスプレイ装置において、ケーブルのコネクタ部に送信された前記映像信号を伝送する第１伝送経路と、無線通信により送信された前記映像信号を伝送する第２伝送経路とを切り換えて、前記映像信号をディスプレイ処理部に伝送する切換回路部と、
前記ケーブルの接続端子が前記コネクタ部に挿入され又は引き抜きされることに応じるスイッチを含む検出回路部とを有し、
前記検出回路部は、前記スイッチによる前記接続端子の引き抜きを検出したとき、前記切換回路部を前記第１伝送経路から前記第２伝送経路に切り換えることを特徴とするディスプレイ装置。
【請求項２】
前記検出回路部は、前記ケーブルが前記コネクタ部から切り離されたことを検出したとき、前記第２伝送経路を無効にするリセット信号を出力することを特徴とする請求項１に記載のディスプレイ装置。
【請求項３】
前記ディスプレイ処理部は、複数のディスプレイ処理部を含み、
複数のディスプレイ処理部の各々に対して、前記映像信号が、前記第１伝送経路又は第２伝送経路を切り換えて供給されることを特徴とする請求項１に記載のディスプレイ装置。
【請求項４】
前記複数のディスプレイ処理部のうち、一つのディスプレイ処理部に、前記映像信号が前記第１伝送経路によって供給されている場合、他のディスプレイ処理部には、前記映像信号が、前記第２伝送経路に切り換えられて供給されることを特徴とする請求項３に記載のディスプレイ装置。
【請求項５】
情報処理装置で生成された映像信号を伝送して表示するディスプレイ装置において、
ケーブルのコネクタ部に送信された前記映像信号を伝送する第１伝送経路と、無線通信により送信された前記映像信号を伝送する第２伝送経路とを切り換えて、前記映像信号をディスプレイ処理部に伝送する切換回路部と、
前記ケーブルの接続端子が前記コネクタ部に挿入され又は引き抜きされることに応じるスイッチを含む検出回路部とを有し、
前記検出回路部は、前記スイッチによる前記接続端子の引き抜きを検出したとき、前記切換回路部を前記第１伝送経路から前記第２伝送経路に切り換えることを特徴とするディスプレイ装置。
【請求項６】
前記第１伝送経路に係る前記ディスプレイ処理部への接続又は切離しを検出する検出回路部が前記情報処理装置に備えられていることを特徴とする請求項５に記載のディスプレイ装置。
【請求項７】
前記ディスプレイ処理部に、当該ディスプレイ処理部における表示に対するセキュリティ情報が設定され、
前記検出回路部は、前記ケーブルが前記情報処理装置の前記コネクタ部に接続されていることを検出したとき、読み取った前記セキュリティ情報に基づいて、前記第１伝送経路への前記映像信号の伝送を限定制御することを特徴とする請求項６に記載のディスプレイ装置。
【発明の詳細な説明】
【０００１】
【発明の属する技術分野】
本発明は、映像信号を表示するディスプレイ装置に関し、特に、映像信号ケーブルの接続状態の検出に応じて映像信号の伝送経路が切り換えることができ、映像信号ケーブルがディスプレイ装置から切り離されたとき、映像信号の伝送経路を無線通信手段に自動的に切り換えられる映像信号のディスプレイ装置に関する。
【０００２】
【従来の技術】
従来、例えば、デスクトップ型パソコンでは、パソコン本体に周辺機器であるキーボード、ディスプレイ装置、プリンタ装置などが接続されている。ノート型パソコンでは、これらの周辺機器の中で、キーボードとディスプレイ装置がパソコン本体に組み込まれている。このように、パソコンにとっては、パソコンの持っている機能を十分に発揮させるには、ディスプレイ装置は必須のものである。
【０００３】
しかし、近年において、ディスプレイ装置のディスプレイ処理部には、装置重量が重くなるＣＲＴから、軽量でコンパクトなＬＣＤが多く用いられるようになり、手軽にディスプレイ装置のみを移動することができるようになった。そして、ディスプレイ装置で表示できるコンテンツも多くなり、例えば、ＣＤ、ＤＶＤ、テレビ放送などによる映像を見ることができる。
【０００４】
一方、ＬＡＮなどのネットワークシステムに複数のパソコンを接続して、資源を共有化することが行われており、コンテンツとしての映像情報は、各パソコンにＬＡＮを介して供給される。この映像情報がディスプレイ装置に表示される場合には、該パソコンから映像信号ケーブルを介してディスプレイ装置に送信されるか、又は、ディスプレイ装置との間で設定された無線ＬＡＮなどの無線通信手段を介して送信されるかなどして、その映像情報が、ディスプレイ装置のディスプレイ処理部に表示される。
【０００５】
【発明が解決しようとする課題】
しかしながら、これまで、使用されている従来のディスプレイ装置では、パソコンからの映像信号の供給は、映像信号ケーブルによるか、又は、無線ＬＡＮによるかのどちらか固定的な接続手段によるものであった。
【０００６】
そのため、従来の技術では、ディスプレイ装置に対する映像信号ケーブルが接続されたかどうかの接続状態に応じて、ディスプレイ装置内において、回路的に自動的に切り換えることはできなかった。
【０００７】
また、同様にパソコンやサーバ等の情報処理装置においても、映像信号ケーブルの接続状態に応じて、内部の回路を自動的に切り換えることはできなかった。
【０００８】
そこで、本発明の目的は、パソコンなどから供給される映像信号を表示するディスプレイ装置において、映像信号ケーブルが接続されたときには、該映像信号で表示し、映像ケーブルが接続されないときには、他の映像信号伝送手段によって、例えば、パソコンとの無線通信によって伝送された該映像信号で表示するように、自動的に内部回路を切り換えるようにした映像信号のディスプレイ装置を提供することにある。
【０００９】
【課題を解決するための手段】
以上のような課題を解決するため、本発明では、伝送された映像信号を表示するディスプレイ装置において、ケーブルのコネクタ部に送信された前記映像信号を伝送する第１伝送経路と、無線通信により送信された前記映像信号を伝送する第２伝送経路とを切り換えて、前記映像信号をディスプレイ処理部に伝送する切換回路部と、前記ケーブルの接続端子が前記コネクタ部に挿入され又は引き抜きされることに応じるスイッチを含む検出回路部とを有しており、前記検出回路部は、前記スイッチが前記接続端子の引き抜きを検出したとき、前記切換回路部を前記第１伝送経路から前記第２伝送経路に切り換えるようにした。
【００１０】
そして、前記検出回路部は、前記ケーブルが前記コネクタ部から切り離されたことを検出したとき、前記第２伝送経路を無効にするリセット信号を出力することとした。
【００１１】
前記ディスプレイ処理部は、複数のディスプレイ処理部を含むものとし、複数のディスプレイ処理部の各々に対して、前記映像信号が、前記第１伝送経路又は第２伝送経路を切り換えて供給されるようにし、或いは、前記複数のディスプレイ処理部のうち、一つのディスプレイ処理部に、前記映像信号が前記第１伝送経路によって供給されている場合、他のディスプレイ処理部には、前記映像信号が、前記第２伝送経路に切り換えられて供給されるようにした。
【００１２】
また、本発明では、情報処理装置で生成された映像信号を伝送して表示するディスプレイ装置において、ケーブルのコネクタ部に送信された前記映像信号を伝送する第１伝送経路と、無線通信により送信された前記映像信号を伝送する第２伝送経路とを切り換えて、前記映像信号をディスプレイ処理部に伝送する切換回路部と、前記ケーブルの接続端子が前記コネクタ部に挿入され又は引き抜きされることに応じるスイッチを含む検出回路部とを有し、前記検出回路部は、前記スイッチが前記接続端子の引き抜きを検出したとき、前記切換回路部を前記第１伝送経路から前記第２伝送経路に切り換えるようにした。
【００１３】
そして、前記第１伝送経路に係る前記ディスプレイ処理部への接続又は切離しを検出する検出回路部を、前記情報処理装置に備えることとした。
【００１４】
さらに、前記ディスプレイ処理部には、当該ディスプレイ処理部における表示に対するセキュリティ情報が設定されるようにし、前記検出回路部は、前記ケーブルが前記情報処理装置の前記コネクタ部に接続されていることを検出したときに、読み取った前記セキュリティ情報に基づいて、前記第１伝送経路への前記映像信号の伝送を限定制御することとした。
【００１５】
以上のような構成としたディスプレイ装置によれば、映像信号ケーブルの接続状態を検出でき、映像信号ケーブルがディスプレイ装置から切り離されたときに、映像信号が供給される伝送経路を無線通信手段に自動的に切り換えられることができる。
【００１６】
【発明の実施の形態】
次に、本発明によるディスプレイ装置の実施形態について、図を参照しながら、その具体例を挙げて説明する。
（第１の実施形態）
第１の実施形態による映像信号のディスプレイ装置では、ディスプレイ装置のディスプレイ処理部において表示することができる映像信号の伝送方法について、パソコンとディスプレイ装置間を映像信号ケーブルで接続する場合と、パソコンとディスプレイ装置との双方とに有する無線通信機能で行う場合とを、ディスプレイ装置内で自動的に切り換えることができるようにした。なお、パソコンは、情報処理装置の一例であり、映像信号を出力することができるものとする。
【００１７】
そのため、本実施形態に係るディスプレイ装置に、映像ケーブルが接続されているかどうかの検出を行う接続スイッチを配置し、該スイッチが映像信号ケーブルの接続を検出した場合には、ディスプレイ処理部に、映像信号ケーブルからの映像信号を伝送するように切換回路を駆動し、そして、映像信号ケーブルが接続されていないことを検出した場合には、無線通信で送信された映像信号を、ディスプレイ処理部に伝送するように切換回路を駆動することとした。
【００１８】
図１は、第１の実施形態によるディスプレイ装置接続システムの具体例を示している。Ｄ１は、ディスプレイ装置であり、該装置内には、ＬＣＤなどによる表示部１が備えられ、図示していないが、映像信号を表示部１に表示するための処理手段を有している。そして、さらに、該装置内には、切換回路２、検出回路３、無線ＬＡＮユニット４、そして、ＣＰＵ５が備えられている。
【００１９】
ディスプレイ装置Ｄ１には、映像信号ケーブル用の接続コネクタＣ１が備えられている。該接続コネクタＣ１は、ディスプレイ側端子ＴＤ１、パソコン側端子ＴＰ１、そして、接続スイッチＳ１から構成されている。ディスプレイ側端子ＴＤ１は、切換回路２に接続されており、ディスプレイ側端子ＴＤ２には、映像信号ケーブル３が接続されている。ディスプレイ側端子ＴＤ２は、映像信号ケーブル３がディスプレイ装置Ｄ１に接続されないときには、コネクタＣ１から引き抜かれる。
【００２０】
接続コネクタＣ１には、接続スイッチＳ１が備えられている。この接続スイッチＳ１は、パソコン側端子ＴＰ１が接続コネクタＣ１に差し込まれたとき、映像信号ケーブル６がディスプレイ装置Ｄ１に接続されたことを検出するものであり、例えば、パソコン側端子ＴＰ１が差し込まれたときにＯＮとなるスイッチ接点であっても、或いは、電気的に検出するスイッチによるものでもよい。
【００２１】
一方、ディスプレイ装置Ｄ１は、パソコンＰＣ１から映像信号が伝送される無線通信手段を備えている。その無線通信手段としては、無線ＬＡＮ、或いは、ブルートゥース（Ｂｌｕｅｔｏｏｔｈ）などが挙げられる。図１では、無線ＬＡＮによる場合を示しており、ディスプレイ装置Ｄ１とパソコンＰＣ１の双方に無線ＬＡＮユニット４及び７が搭載され、パソコンＰＣ１で生成された映像信号が、無線ＬＡＮを介して、ディスプレイ装置Ｄ１のＣＰＵ５に伝送される。そして、ＣＰＵ５は、ディスプレイ処理部１に映像信号を供給する。
【００２２】
ここで、接続スイッチＳ１は、パソコン側端子ＴＰ１の接続コネクタＣ１への挿抜に従って検出回路３にＯＮ・ＯＦＦ信号を送出する。検出回路３は、このＯＮ・ＯＦＦ信号によって、映像信号ケーブル６がディスプレイ装置Ｄ１に接続されたかどうかを判断し、例えば、ＯＮ信号のときには、映像信号ケーブル６が接続されたとして、切換回路２をディスプレイ側端子ＴＤ１側に切り換え、表示部１に映像信号を伝送する。
【００２３】
このとき、ディスプレイ装置Ｄ１の表示部１では、一方の映像信号に関して表示できるだけであるので、ＣＰＵ５からの信号供給がなされない。切換回路２は、ＣＰＵ５側の映像信号出力を表示部１に伝送させない。さらに、必要があれば、ＣＰＵ５の動作を無効にするために、検出回路３は、切換回路２を接続コネクタＣ１側に切り換えた場合に、ＣＰＵ５に対してリセット信号を送出するようにしてもよい。
【００２４】
次に、接続スイッチＳ１が、ＯＦＦ信号を出力しているときには、検出回路３は、パソコン側端子ＴＰ１が接続コネクタＣ１から抜かれたか、或いは、パソコン側端子ＴＰ１が差し込まれていないと判断し、つまり、映像信号ケーブル６が、ディスプレイ装置Ｄ１に接続されていないとする。このとき、検出回路３は、切換回路２をＣＰＵ５側に切り換え、ディスプレイ処理部１には、無線ＬＡＮユニット４を介して伝送された映像信号を供給できるようにする。
【００２５】
なお、これまで、検出回路３は、接続スイッチＳ１によって、映像信号ケーブル６が接続コネクタＣ１に接続されたとき、切換回路２を接続コネクタＣ１側に切り換えるようにしたが、切換回路２を接続コネクタＣ１側に常閉状態にしておき、検出回路３が接続スイッチＳ１により、映像信号ケーブル６が接続コネクタＣ１に接続されていないことを検出して、切換回路２をＣＰＵ５側に切り換えるようにしても、本実施形態の目的を達成することができる。
【００２６】
以上のように、本実施形態によるディスプレイ装置接続システムでは、ディスプレイ装置に映像信号を伝送する映像信号ケーブルの接続状態を、ディスプレイ装置に備えられた接続コネクタに接続スイッチによって検出するようにし、切換回路を制御するので、ディスプレイ装置内において、ディスプレイ処理部への映像信号の伝送経路を、映像信号ケーブルと無線ＬＡＮとを自動的に切り換えることができる。
【００２７】
次に、第１の実施形態によるディスプレイ装置接続システムを適用したディスプレイ装置の別の接続形態による具体例を、図２に示した。同図に示したディスプレイ装置Ｄ１は、図１に示したディスプレイ装置Ｄ１と同様のものを用いているので、同じ部分には、両図と共通の符号が付されている。
【００２８】
図１に示したディスプレイ装置Ｄ１への接続状態は、パソコンＰＣ１とディスプレイ装置Ｄ１とが１対１の関係にあり、パソコンＰＣ１からの映像信号が、映像信号ケーブル６と無線通信との一つを選択されて伝送される場合に、その伝送経路の接続状態をディスプレイ装置Ｄ１内で検出し自動的に切り換えて対応できるようにした。これに対して、図２に示したディスプレイ装置Ｄ１への接続状態の具体例は、２以上のパソコンから、各々のどれか一つの映像信号が同一ディスプレイ装置に伝送され、当該映像信号がディスプレイ処理部に表示される場合である。
【００２９】
図２において、先ず、ディスプレイ処理部１に、第１パソコンＰＣ１で生成された映像信号を、映像信号ケーブル６で伝送して表示しようとする場合について、説明する。
【００３０】
この場合には、検出回路３が、接続スイッチＳ１によって映像信号ケーブル６の接続を検出し、切換回路２を接続コネクタＣ１側に切り換え、同時に、ＣＰＵ５にリセット信号を送信する。これにより、第１パソコンＰＣ１から映像信号ケーブル６を介して伝送される映像信号を、ディスプレイ処理部１に表示させ、第２パソコンＰＣ２から無線通信によって伝送される映像信号を無効にしている。
【００３１】
また、第２パソコンＰＣ２で生成された映像信号を、ディスプレイ処理部１に表示したい場合には、映像信号ケーブル６のパソコン側端子ＴＰ１を接続コネクタＣ１から引き抜き、映像信号ケーブル６がディスプレイ装置Ｄ１と接続されていない状態にする。そうすると、検出回路３は、切換回路２をＣＰＵ５側に切り換える。このことにより、第２パソコンＰＣ２から無線通信で伝送された映像信号は、無線通信ユニット４を介してＣＰＵ５に送信され、そこで、切換回路２を介してディスプレイ処理部１に供給されて表示される。
【００３２】
なお、図２では、第２パソコンＰＣ２を１台として図示したが、無線通信の設定によっては、複数のパソコンに対しても、各々無線通信ユニットを搭載することで対応することが可能であり、各パソコンから選択して伝送された映像信号を表示することができる。
【００３３】
以上のような複数のパソコンから伝送される映像信号に対しても、本実施形態によるディスプレイ装置では、ディスプレイ装置に映像信号を伝送する映像信号ケーブルの接続状態を、ディスプレイ装置に備えられた接続コネクタ内の接続スイッチによって検出でき、切換回路を制御するので、ディスプレイ装置内において、ディスプレイ処理部への映像信号の伝送経路を、映像信号ケーブルと無線通信とのどれか一つの経路による映像信号に自動的に切り換えることができる。
【００３４】
次に、図１に示されたディスプレイ装置と同じ装置を２台以上用意し、１台のパソコンで生成された同一の映像信号を各ディスプレイ装置に伝送する場合について、本実施形態に係るディスプレイ装置の他の実施形態について、図３を参照して説明する。
【００３５】
図３に示された第１ディスプレイ装置Ｄ１と第２ディスプレイ装置Ｄ２は、図１に示したディスプレイ装置Ｄ１と同様の構成であり、同じ部分には、同じ符号が付されている。パソコンＰＣ１は、内部で映像信号を生成でき、該映像信号に関して、映像信号ケーブル６による有線伝送と、無線ＬＡＮユニット７による無線伝送を行うものである。そこで、第１ディスプレイ装置Ｄ１には、パソコンＰＣ１から映像信号ケーブルを介して、映像信号を有線伝送し、他のディスプレイ装置には、パソコンＰＣ１から無線ＬＡＮを介して、該映像信号を無線伝送するようにする。
【００３６】
先ず、第１ディスプレイ装置Ｄ１について見ると、映像信号ケーブル６が接続コネクタＣ１に接続されているので、検出回路３は、接続スイッチＳ１により、接続状態を検出し、切換回路２を接続コネクタＣ１側に切り換える。そのため、ディスプレイ処理部１には、映像信号ケーブル６を介して伝送された映像信号が表示される。ところで、切換回路２は、接続コネクタＣ１側に切り換えられ、ＣＰＵ５からの映像信号は、ディスプレイ処理部１に出力されないが、検出回路３からＣＰＵ５へリセット信号が送出されるので、無線ＬＡＮユニット４で受信された映像信号は、無効にされる。
【００３７】
一方、第２ディスプレイ装置Ｄ２では、映像信号ケーブル６が接続コネクタＣ２に接続されていないので、検出回路１３は、接続スイッチＳ２により映像信号ケーブルが接続されていないことを検出し、切換回路１２をＣＰＵ１５側に切り換える。このときには、検出回路１３は、リセット信号をＣＰＵ１５に送出することがなく、ＣＰＵ１５を有効に動作させるので、パソコンＰＣ１から無線送信された映像信号を、無線ＬＡＮユニット１４で受信し、切換回路１２を介して表示部１に供給されて表示される。
【００３８】
このように、映像信号ケーブルの接続状態を検出して映像信号の伝送経路を自動的に切り換えることができる複数のディスプレイ装置に対し、１台のパソコンから同時に映像信号を送出し、複数のディスプレイ装置のディスプレイ処理部に映像信号を表示することができる。
（第２の実施形態）
第１の実施形態のディスプレイ装置では、映像信号ケーブルの接続状態を、ディスプレイ装置側で検出し、ディスプレイ装置内で映像信号ケーブルと無線通信との映像信号の伝送経路を切り換えて、映像信号を表示するようにした。この場合には、どのディスプレイ装置にも、映像信号ケーブルの接続状態を検出できる機能が搭載されていなければ、映像信号ケーブルと無線通信との伝送経路の切換えを自動的に行うことができない。
【００３９】
そこで、第２の実施形態のディスプレイ装置接続システムでは、ディスプレイ装置内に、映像信号ケーブルの接続状態を検出できる機能を搭載するのではなく、映像信号を生成するパソコン側に、該機能を搭載することとした。該機能を有しない通常のディスプレイ装置に対しても、パソコン側で、映像信号ケーブルと無線通信とを自動的に切り換えて、映像信号を伝送することができる。
【００４０】
第２の実施形態のディスプレイ装置によるパソコンとディスプレイ装置との接続形態の具体例を、図４に示した。同図中、ディスプレイ装置Ｄ０は、映像信号が映像信号ケーブルのみから供給される通常のディスプレイ装置であることを示している。ディスプレイ装置Ｄ１は、図１に示されたディスプレイ装置Ｄ１と同様の構成を有し、同じ部分には同じ符号を付してある。ただ、図４においては、装置側で映像信号ケーブルの接続状態を検出できる機能を有するディスプレイ装置が使用されているが、この接続形態の具体例においては、ディスプレイ装置は、映像信号が少なくとも無線通信で供給され、該映像信号が表示されるものであれば十分である。
【００４１】
パソコンＰＣ３側で、ディスプレイ装置Ｄ０に映像信号を伝送する映像信号ケーブル６の接続状態を検出するために、接続スイッチＳ３が接続された検出回路３３を、パソコンＰＣ３の映像信号出力用の映像信号コネクタ３１に配置しておく。映像信号ケーブル６のディスプレイ側端子ＴＤ０が、映像信号コネクタ３１に差し込まれると、検出回路３３は、接続スイッチＳ３によって、映像信号ケーブル６が接続されたことを検出し、切換回路３２を駆動する。
【００４２】
このとき、切換回路３２は、映像コントローラユニット３４側に切り換えられ、映像コントローラユニット３４からのＤＤＣ信号を映像信号コネクタ３１に出力され、そして、表示装置Ｄ０とのプラグ・アンド・プレイが実行される。そこで、映像信号が、映像信号ケーブル６を介して表示装置Ｄ０に伝送されて表示される。
【００４３】
他方、映像信号ケーブル６のディスプレイ側端子ＴＤ０が映像信号コネクタ３１から引き抜かれた場合、或いは、元々映像信号ケーブル６がパソコンＰＣ３に接続されていない場合には、検出回路３３は、接続スイッチＳ３によって映像信号ケーブル６の非接続を検出し、切換回路３２を擬似ＤＤＣ信号発生ユニット３５側に切り換える。この擬似ＤＤＣ発生ユニット３５は、無線ＬＡＮユニット３６を介したディスプレイ装置Ｄ１との無線通信を有効とし、プラグ・アンド・プレイを実行するのに必要なＤＤＣ信号を映像信号コントローラ３４に発生させる。
【００４４】
ここで、パソコンＰＣ３で生成された映像信号は、無線通信ユニット３６から送信され、ディスプレイ装置Ｄ１では、無線通信ユニット４で該映像信号を受信し、該映像信号がディスプレイ処理部１に表示される。ところで、ディスプレイ装置Ｄ１には、映像信号ケーブルの接続状態を検出する機能が搭載されているが、このときには、映像信号ケーブルがディスプレイ装置Ｄ１に接続されていない状態であるので、切換回路２は、ＣＰＵ５側に切り換えられており、無線通信による映像信号の伝送経路が有効となっている。
【００４５】
以上のように、本実施形態の映像信号のディスプレイ装置では、パソコン側において、該パソコンとディスプレイ装置との間の映像信号ケーブルの接続状態を検出する機能を搭載したので、ディスプレイ装置側で、映像信号の伝送経路として、映像信号ケーブル又は無線通信のいずれかに固定的に設定されている場合でも、パソコン側で伝送経路を自動的に切り換えて、ディスプレイ装置に映像信号を伝送することができる。
【００４６】
次に、図４に示されたパソコンＰＣ３を、例えば、家庭内サーバとして用い、ＬＡＮ接続された複数のパソコンに、例えば、Ｗｅｂサイトからの映像情報を表示する場合におけるディスプレイ装置接続システムの接続形態例を、図５に示した。ここで、複数のパソコンＰＣ１及びＰＣ２に備えられているディスプレイ装置Ｄ３及びＤ４は、各パソコンから分離して動作することができるものである。
【００４７】
そして、家庭内サーバＰＣ４は、図４に示したパソコンＰＣ３と同様の構成が搭載されているが、この構成に関しては図示を省略している。サーバＰＣ４に映像信号ケーブルを接続するための映像信号コネクタ３１として、接続コネクタＣ４が示され、接続コネクタＣ４には、映像信号ケーブルのディスプレイ側端子を受け入れる映像信号コネクタ３１のパソコン側端子ＴＰ４と接続スイッチＳ４とが備えられている。
【００４８】
図５に示したディスプレイ装置における特徴は、ディスプレイ装置内に、ディスプレイ装置の用途に応じたセキュリティ情報を設定できることにある。例えば、Ｗｅｂサイトから取得できる映像情報について、子供が見ると不都合である場合に、ディスプレイ装置上に表示させないように、当該映像情報のパソコンへの伝送を阻止することが挙げられる。このような場合に、セキュリティ情報が設定される。
【００４９】
図５の接続形態例では、ディスプレイ装置Ｄ３は、子供が使用し、また、ディスプレイ装置Ｄ４は、大人が使用するものとする。ディスプレイ装置Ｄ３及びＤ４には、家庭内サーバＰＣ４から伝送される映像情報が表示される。ここで、子供に対するセキュリティ情報に基づいて、子供用ディスプレイ装置Ｄ３に特定の映像情報を表示させないようにするには、子供用ディスプレイ装置Ｄ３の映像信号ケーブルを第１パソコンＰＣ１から外し、当該映像信号ケーブルを家庭内サーバＰＣ４の接続コネクタＣ４に接続する。
【００５０】
接続コネクタＣ４のサーバ側端子ＴＰ４に、ディスプレイ側端子が差し込まれると、検出回路が、接続スイッチＳ４によって、映像信号ケーブルの接続を検出し、ＬＡＮなどのネットワークによる伝送から、映像信号ケーブルによる伝送に切り換える。そして、家庭内サーバＰＣ４は、ＤＤＣ信号の通信時に、子供用ディスプレイ装置Ｄ３に設定されているセキュリティ情報を読み取るようにする。サーバＰＣ４は、セキュリティ情報に従って、子供に見せるには不都合な特定の映像情報を映像信号ケーブルに送出することを阻止する。
【００５１】
このように、ディスプレイ装置内に設定されたセキュリティ情報のレベルに応じて制御でき、映像信号ケーブルによってサーバに接続されたディスプレイ装置上に、映像情報を選択して表示することができる。
【００５２】
この場合では、家庭内サーバＰＣ４に備えられた映像信号ケーブルの接続状態の検出機能を利用して、ディスプレイ装置内に設定されたセキュリティ情報を読み出すようにしたが、映像信号ケーブルの接続状態の検出機能が、第１パソコンＰＣ３又は第２パソコンＰＣ４に組み込まれてもよい。第１パソコンＰＣ３又は第２パソコンＰＣ４に当該検出機能を組み込む場合には、図４に示されたパソコンＰＣ３の構成と同様のものが使用される。
【００５３】
図２に示された第２の実施形態の接続例においては、家庭内サーバＰＣ４に映像信号ケーブルの接続状態の検出機能を持たせているので、接続コネクタＣ４に子供用ディスプレイ装置Ｄ３をケーブル接続したとき、サーバＰＣ４から伝送される映像信号は、接続された映像信号ケーブルの経路に切り換えられてしまうため、サーバＰＣ４にＬＡＮ接続されている第２パソコンＰＣ２には、映像信号が伝送されない。子供用ディスプレイ装置Ｄ３が接続コネクタＣ４にケーブル接続されている間は、大人用ディスプレイ装置Ｄ４上で映像をみることができない。
【００５４】
そこで、映像信号ケーブルの接続状態の検出機能が、第１パソコンＰＣ３又は第２パソコンＰＣ４に組み込まれる場合では、家庭内サーバＰＣ４から伝送される映像信号は、第１パソコンＰＣ１及び第２パソコンＰＣ２に供給されている。ここで、ディスプレイ装置Ｄ３又はＤ４にセキュリティ情報が設定されていると、セキュリティ情報が設定された当該ディスプレイ装置には、該セキュリティ情報のレベルに応じて、家庭内サーバＰＣ４に限定的にアクセスすることができ、制限された映像情報が表示される。しかし、該セキュリティ情報が設定されていないディスプレイ装置に対しては、家庭内サーバＰＣ４へのフルアクセスが可能であり、制限されない映像情報がそのまま供給される。そのため、例えば、子供用ディスプレイ装置Ｄ３には、映像情報が表示されないが、大人用ディスプレイ装置Ｄ４上には、当該映像情報を表示することができる。
【００５５】
以上のように、パソコンに搭載した映像信号ケーブルの接続状態の検出機能と、ディスプレイ装置内のセキュリティ情報の設定機能とを組み合わせた構成にすることにより、映像信号ケーブルの接続時に、映像信号の伝送経路が該映像信号ケーブル側に切り換えられると同時に、ディスプレイ装置内のセキュリティ情報を読み出すことができるようになり、パソコンからセキュリティ情報のレベルに応じた映像信号の伝送制御が可能となる。
（付記１）
伝送された映像信号を表示するディスプレイ装置において、
ケーブルのコネクタ部に送信された前記映像信号を伝送する第１伝送経路と、無線通信により送信された前記映像信号を伝送する第２伝送経路とを切り換えて、前記映像信号をディスプレイ処理部に伝送する切換回路部と、
前記ケーブルの接続端子が前記コネクタ部に挿入され又は引き抜きされることに応じるスイッチを含む検出回路部とを有し、
前記検出回路部は、前記スイッチが前記接続端子の引き抜きを検出したとき、前記切換回路部を前記第１伝送経路から前記第２伝送経路に切り換えることを特徴とするディスプレイ装置。
（付記２）
前記検出回路部は、前記ケーブルが前記コネクタ部から切り離されたことを検出したとき、前記第２伝送経路を無効にするリセット信号を出力することを特徴とする付記１に記載のディスプレイ装置。
（付記３）
前記ケーブルが前記コネクタ部から切り離されたとき、前記第２伝送経路には、前記第１伝送経路に伝送された前記映像信号とは異なる映像信号が供給されることを特徴とする付記１に記載のディスプレイ装置。
（付記４）
前記ディスプレイ処理部は、複数のディスプレイ処理部を含み、
複数のディスプレイ処理部の各々において、前記映像信号が、前記第１伝送経路又は第２伝送経路を切り換えられて供給されることを特徴とする付記１に記載のディスプレイ装置。
（付記５）
複数のディスプレイ処理部のうち、一つのディスプレイ処理部に、前記映像信号が前記第１伝送経路によって供給されている場合、他のディスプレイ処理部には、前記映像信号が、前記第２伝送経路に切り換えられて供給されることを特徴とする付記４に記載のディスプレイ装置。
（付記６）
情報処理装置で生成された映像信号を伝送して表示するディスプレイ装置において、
ケーブルのコネクタ部に送信された前記映像信号を伝送する第１伝送経路と、無線通信により送信された前記映像信号を伝送する第２伝送経路とを切り換えて、前記映像信号をディスプレイ処理部に伝送する切換回路部と、
前記ケーブルの接続端子が前記コネクタ部に挿入され又は引き抜きされることに応じるスイッチを含む検出回路部とを有し、
前記検出回路部は、前記スイッチが前記接続端子の引き抜きを検出したとき、前記切換回路部を前記第１伝送経路から前記第２伝送経路に切り換えることを特徴とするディスプレイ装置。
（付記７）
前記第１伝送経路に係る前記ディスプレイ処理部への接続又は切離しを検出する検出回路部が前記情報処理装置に備えられていることを特徴とする付記６に記載のディスプレイ装置。
（付記８）
前記ディスプレイ処理部に、当該ディスプレイ処理部における表示に対するセキュリティ情報が設定され、
前記検出回路部は、前記ケーブルが前記情報処理装置のコネクタ部に接続されていることを検出したとき、読み取った前記セキュリティ情報に基づいて、前記第１伝送経路への前記映像信号の伝送を限定制御することを特徴とする付記７に記載のディスプレイ装置。
【００５６】
【発明の効果】
本発明のディスプレイ装置では、ディスプレイ装置内に、パソコンで生成される映像信号が伝送される映像信号ケーブルの接続状態を検出する接続スイッチを有するコネクタ部を搭載し、該スイッチの動作に応じて、映像信号ケーブルと無線通信との伝送経路を切り換えるようにしたので、通常は、映像信号ケーブルからの信号の受信機となっているディスプレイ装置が、映像信号ケーブルを切り離すことによって、無線通信等により伝送される映像信号を受信するシステムに自動的に切り換えることができる。
【００５７】
ディスプレイ装置から映像信号ケーブルを切り離すと、自動的に、無線通信による映像信号受信に切り換えられるので、例えば、フロアが離れている場所に置かれたパソコンと容易に接続することができる。
【００５８】
そして、ディスプレイ装置に上記機能を搭載することにより、デモンストレーションのようなパソコン１台、該ディスプレイ装置複数に対して、パソコンで生成される映像情報を表示させることが可能となる。
【００５９】
また、本発明のディスプレイ装置接続システムにおいて、映像信号が伝送される映像信号ケーブルの接続状態を検出する機能をパソコン内に搭載し、該ケーブルの接続状態に応じて、映像信号ケーブルと無線通信との伝送経路を切り換えるようにしたので、通常のディスプレイ装置と、当該機能を搭載したディスプレイ装置との混在しても、映像信号の伝送を行うことができる。
【００６０】
さらに、当該機能を搭載したパソコンを家庭内のサーバとし、例えば、大人用又は子供用のディスプレイ装置内にセキュリティ情報を設定するようにしたので、大人用ディスプレイ装置では、サーバにフルアクセスが許可され、一方、セキュリティ情報のレベルに応じて、子供用ディスプレイ装置に対しては制限されたアクセスのみとすることができ、映像情報に対するセキュリティを確保することができるサーバシステムの構築が可能となる。
【図面の簡単な説明】
【図１】本発明の実施形態の接続システムを適用したディスプレイ装置とパソコンとの具体的接続例を示す図である。
【図２】本発明の実施形態の接続システムを適用したディスプレイ装置と２台のパソコンとの具体的接続例を示す図である。
【図３】本発明の実施形態の接続システムを適用した２台のディスプレイ装置とパソコンとの具体的接続例を示す図である。
【図４】本発明の実施形態の接続システムを適用したパソコンと他のディスプレイ装置との具体的接続例を示す図である。
【図５】本発明の実施形態の接続システムを利用して、ディスプレイ装置のセキュリティ情報をとパソコンに通知する場合における具体的接続例を示す図である。
【符号の説明】
１、１１…ディスプレイ処理部
２、１２、３２…切換回路
３、１３、３３…検出回路
４、７、１４、３６、７１、７２…無線ＬＡＮユニット
５、１５…ＣＰＵ
６…映像信号ケーブル
３１…映像信号コネクタユニット
３４…映像コントローラユニット
３５…擬似ＤＤＣ発生ユニット
Ｃ１、Ｃ２、Ｃ３、Ｃ４…ケーブル接続コネクタ
ＴＤ０、ＴＤ１、ＴＤ２…ディスプレイ側端子
ＴＰ１、ＴＰ２、ＴＰ４…パソコン側端子
Ｄ０、Ｄ１、Ｄ２、Ｄ３、Ｄ４…ディスプレイ装置
ＰＣ１、ＰＣ２、ＰＣ３、ＰＣ４…パソコン
Ｓ１、Ｓ２、Ｓ３、Ｓ４…接続スイッチ
【図１】
2004029232.tif 000003
【図２】
2004029232.tif 000004
【図３】
2004029232.tif 000005
【図４】
2004029232.tif 000006
【図５】
2004029232.tif 000007